(57)【要約】【課題】簡便に、足場板間の隙間の広がりを防止できる足場板連結方法を提供することにある。【解決手段】複数の直線用足場板２００の長手方向（Ｙ方向）側面同士を近接させて並列に配置し、上記配置されたそれぞれの直線用足場板２００のフック２０１を幅方向（Ｘ方向）側面に対向する建枠５００（横枠５２０）に係止させ、建枠５００に係止されたフック２０１の両端位置よりも外側の建枠５００に、着脱自在なクリップ材１５０を取付ける。【選択図】図１
2010275685.tif 000002
【特許請求の範囲】
【請求項１】
側面にフックを有する矩形の足場板を、建枠に前記フックを係止させることで、複数連結して形成する足場における足場板連結方法において、
前記フックを第１側面に備える複数の足場板を、前記第１側面と直交する第２側面同士が近接して並列に配置されるように、それぞれの足場板のフックを第１側面に対向する一の建枠に係止させ、
次いで、前記係止された複数のフックの両端位置よりも外側の前記一の建枠に、着脱自在なクリップ材を取付けることを特徴とする足場板連結方法。
【請求項２】
請求項１に記載の足場板連結方法において、
前記足場板は、幅方向の側面に前記フックを有する第１の足場板と、長手方向の側面に前記フックを備える第２の足場板と、を備え、
前記一の建枠に第１の足場板のフックを係止させるとともに、前記一の建枠を挟んで前記第１の足場板と向き合う位置で、前記第１の足場板の幅方向と前記第２の足場板の幅方向とが直交する向きに、前記第２の足場板を配置し、前記第２の足場板のフックを前記一の建枠に係止させることを特徴とする足場板連結方法。
【請求項３】
請求項１又は２に記載の足場板連結方法において、
前記クリップ材は塩化ビニル系の樹脂からなることを特徴とする足場板連結方法。
【請求項４】
請求項１〜３の何れか１項に記載の足場板連結方法において、
前記クリップ材は蛍光色に着色されていることを特徴とする足場板連結方法。
【発明の詳細な説明】
【技術分野】
【０００１】
本発明は、足場板連結方法に関する。
【背景技術】
【０００２】
従来、工事現場における足場は、複数の足場板を直列／並列に、あるいは直交する向きに敷き詰め、それぞれの足場板の側面に設けられたフックを、足場を縁取る建枠に係止させて形成されている。
【０００３】
例えば、折り畳み自在な複数の建枠に、足場板を縦横方向に複数連設した吊り足場装置において、足場板の側面に複数備えられたフックを、建枠を構成する横架材に嵌着させることで固定したものが知られている（例えば、特許文献１参照）。
【先行技術文献】
【特許文献】
【０００４】
【特許文献１】特開平８−２７０２０４号公報
【０００５】
ところで、上記特許文献１記載の発明等で開示される足場においては、上記フックが建枠内で滑動して足場板間に隙間が形成され、当該隙間に足場の使用者の足が入り込むというおそれがあった。そこで、例えば、隣接する足場板のフック同士を番線等で括りつけて固定することで、足場板間に隙間が形成されることを防止している。
【発明の概要】
【発明が解決しようとする課題】
【０００６】
しかしながら、相当数の足場板を使用する足場全体において、隣接する足場板のフックごとに上記番線による固定を実施するには相当な労力を必要とするという問題や、足場の解体時、括りつけた番線を取り外す際にも相当な労力を必要とするという問題があった。
【０００７】
本発明の課題は、簡便に、足場板間の隙間の広がりを防止できる足場板連結方法を提供することにある。
【課題を解決するための手段】
【０００８】
以上の課題を解決するため、請求項１に記載の発明は、側面にフックを有する矩形の足場板を、建枠に前記フックを係止させることで、複数連結して形成する足場における足場板連結方法において、前記フックを第１側面に備える複数の足場板を、前記第１側面と直交する第２側面同士が近接して並列に配置されるように、それぞれの足場板のフックを第１側面に対向する一の建枠に係止させ、次いで、前記係止された複数のフックの両端位置よりも外側の前記一の建枠に、着脱自在なクリップ材を取付けることを特徴とする。
【０００９】
請求項２に記載の発明は、請求項１に記載の足場板連結方法において、前記足場板は、幅方向の側面に前記フックを有する第１の足場板と、長手方向の側面に前記フックを備える第２の足場板と、を備え、前記一の建枠に第１の足場板のフックを係止させるとともに、前記一の建枠を挟んで前記第１の足場板と向き合う位置で、前記第１の足場板の幅方向と前記第２の足場板の幅方向とが直交する向きに、前記第２の足場板を配置し、前記第２の足場板のフックを前記一の建枠に係止させることを特徴とする。
【００１０】
請求項３に記載の発明は、請求項１又は２に記載の足場板連結方法において、前記クリップ材は塩化ビニル系の樹脂からなることを特徴とする。
【００１１】
請求項４に記載の発明は、請求項１〜３の何れか１項に記載の足場板連結方法において、前記クリップ材は蛍光色に着色されていることを特徴とする
【発明の効果】
【００１２】
本発明によると、一の建枠に係止された複数のフックの両端位置よりも外側の上記一の建枠に、着脱自在なクリップ材が取付けられているので、足場板が複数のフックの両端位置よりも外側に向けて移動しようとしても、クリップ材によって当該移動が規制されることとなって、足場板間に形成される隙間の広がりを防止することができる。また、隣接する足場板のフックごとに番線で固定し、取り外すような場合に比べて、クリップ材を建枠に着脱するだけなので簡便である。
したがって、本発明は、簡便に、足場板間の隙間の広がりを防止できる足場板連結方法であるといえる。
【図面の簡単な説明】
【００１３】
【図１】本発明に係る足場の概略構成図である。
【図２】本発明に係るクリップ材を説明するための斜視図である。
【発明を実施するための形態】
【００１４】
以下、本発明の実施の形態について図面を参照しながら説明する。なお、発明の範囲は図示例に限定されない。
図１は、本発明に係る足場を上面視した概略構成図であり、図１における左右方向をＸ方向、前後方向をＹ方向、ＸＹ方向に直交する方向をＺ方向とする。
【００１５】
本発明に係る足場１は、例えば、工事現場や建設現場等の各種現場において設けられる仮設足場であり、図１に示すように、足場１のコーナー部分を示す足場コーナー部１０と、足場１の直線部分を示す足場直線部２０と、等を含んで構成される。
【００１６】
足場コーナー部１０は、例えば、足場コーナー部１０の枠組を形成する建枠５００と、足場１のコーナー部分を形成するためのコーナー用足場板１００（第２の足場板）と、足場１の直線部分を形成するための直線用足場板２００（第１の足場板）と、建枠５００に着脱自在なクリップ材１５０と、等を含んで構成される。
【００１７】
建枠５００は、例えば、コーナー用足場板１００や直線用足場板２００を取付ける（支持する）ための鋼管製の枠材であり、Ｘ方向に延伸した横枠５２０，Ｙ方向に延伸した縦枠５１０，ＸＹ方向に直交するＺ方向に延伸した高さ枠５３０，を含み、これらを組み合わせることにより、上記現場において所望される足場の形状に応じた枠組を形成している。
そして、足場コーナー部１０においては、コーナー用足場板１００の幅方向（Ｙ方向）側面及び長手方向（Ｘ方向）側面を支持し、直線用足場板２００の幅方向（Ｘ方向）側面を支持し得るように縦枠５１０及び横枠５２０を配置し、端部に設置された高さ枠５３０間に当該縦枠５１０及び横枠５２０が架設されている。
【００１８】
コーナー用足場板１００は、直線用足場板２００と向き合う位置で、幅方向（Ｙ方向）が、直線用足場板２００の幅方向（Ｘ方向）と直交する向きに配置され、例えば、木材や鋼材、又はアルミ材などで形成される矩形の布板である。そして、コーナー用足場板１００は、幅方向側面にフック１１０、及び長手方向（Ｘ方向）側面にフック１２０を有し、フック１１０，１２０を介して建枠５００に係止される。
フック１１０，１２０は、例えば、爪状に形成された取付け部材であり、それぞれ、縦枠５１０，横枠５２０に爪を引掛けることにより、コーナー用足場板１００を建枠５００に係止させる。
【００１９】
直線用足場板２００は、例えば、木材や鋼材、又はアルミ材などで形成される矩形の布板であり、それぞれの幅方向（Ｘ方向）側面（第一側面）にフック２０１，２０２を有し、フック２０１，２０２を介して建枠５００，６００に係止される。
また、直線用足場板２００は、並列に複数個（図１では二個）、長手方向（Ｙ方向）側面（第二側面）同士を近接させて配置することにより、現場にて所望される足場直線部２０の幅（Ｘ方向長さ）を形成する。この際、当該配置された直線用足場板２００間に、隙間Ａが形成される。
フック２０１，２０２は、直線用足場板２００の幅方向側面に設けられており、例えば、爪状に形成された取付け部材であり、それぞれ、横枠５２０に爪を引掛けることにより、直線用足場板２００を建枠５００，６００に係止させる。
【００２０】
クリップ材１５０は、建枠５００に着脱自在な部材であり、例えば、図２に示すように、断面視Ｃ字状の樹脂製の筒体１５１と、筒体１５１の側面に取り付けられ、筒体１５１を縮径する方向に付勢するばね部材１５２とを備えている。
筒体１５１は、樹脂素材の中で、可撓性に優れる塩化ビニル系の樹脂素材が用いられている。また、筒体１５１は、建枠５００の外径よりやや小さい内径を有し、側面の切り欠かれた部分を拡げて建枠５００に装着すると復元力により筒体１５１の内面と建枠５００の外面とが密着するようになっている。
ばね部材１５２は、鋼製の線材を折り曲げたものから構成され、筒体１５１を縮径する方向に付勢することで、筒体１５１の内面と建枠５００の外面とを更に密着させる。
【００２１】
ここで、クリップ材１５０は、図１に示すように、横枠５２０に係止された複数のフック（フック１２０やフック２０１）の両端位置よりも外側で、横枠５２０に装着される。つまり、両端に位置するフック１２０やフック２０１が横枠５２０内で滑動し、高さ枠５３０に向かって移動しようとしても、クリップ材１５０が装着されることで当該動きが規制されるので、隙間Ａの広がりを確実に防止することが出来る。また、クリップ材１５０は伸縮により簡便に建枠５００に着脱し得るため、取り付け／取り外しにおける作業者の負担が殆ど無い。
また、クリップ材１５０の筒体１５１として、樹脂素材の中で比較的安価かつ軽量な塩化ビニル系の樹脂素材が用いられている。したがって、クリップ材１５０が安価であるため足場形成時のコスト負担を好適に抑えることができ、クリップ材１５０が軽量であるため着脱時に当該クリップ材１５０が落下することによる作業者の危険性を低減させることができる。
さらに、筒体１５１は、例えば、作業者が視認し易いように黄色や橙色等の蛍光色に着色されている。したがって、足場１における作業者はクリップ材１５０の保守点検（着脱状態や装着位置の確認等）を容易に行うことが出来るようになる。
【００２２】
足場直線部２０は、例えば、足場直線部２０の枠組を形成する建枠６００，７００，８００と、足場１の直線部分を形成するための直線用足場板２００，２１０，２２０と、等を含んで構成される。なお、直線用足場板２００については、足場コーナー部１０にて説明した通りであるので、ここでは説明を省略する。
【００２３】
建枠６００，７００，８００は、例えば、直線用足場板２００，２１０，２２０を取付ける（支持する）ための鋼管製の枠材であり、Ｘ方向に延伸した横枠６２０，７２０，８２０、Ｚ方向に延伸した高さ枠６３０，７３０，８３０を含み、これらを組み合わせることにより、上記現場において所望される足場の形状に応じた枠組を形成している。
そして、足場直線部２０においては、直線用足場板２００，２１０，２２０の幅方向（Ｘ方向）側面を支持し得るように横枠６２０，７２０，８２０を配置し、端部に設置された高さ枠６３０，７３０，８３０間に当該横枠６２０，７２０，８２０が架設されている。
【００２４】
直線用足場板２１０，２２０は、直線用足場板２００と同様に、例えば、木材や鋼材、又はアルミ材などで形成される矩形の布板であり、それぞれの幅方向（Ｘ方向）側面にフック２１１，２１２、フック２２１，２２２を有し、建枠６００，７００，８００に係止される。
また、直線用足場板２１０，２２０はそれぞれ複数個（図１では二個）並列に配置されており、当該配置された直線用足場板２１０間に、隙間Ｂが形成される。
フック２１１，２１２、フック２２１，２２２は、フック２０１，２０２と同様に、例えば、爪状に形成された取付け部材であり、それぞれ、横枠６２０，７２０，８２０に爪を引掛けることにより、直線用足場板２１０，２２０を建枠６００，７００，８００に係止させる。
ここで、直線用足場板２１０において、フック２１１が直線用足場板２００のフック２０２よりも左側に、フック２１２が直線用足場板２２０のフック２２１よりも右側に配置されている。そのため、フック２１１，２１２が横枠６２０，７２０内で滑動し、高さ枠６３０，７３０に向かって左右に移動しようとしても、フック２１１の外側に配置されたフック２０２や、フック２１２の外側に配置されたフック２２１が、それぞれフック２１１，２１２の動きを規制する。
つまり、足場直線部２０において、直線用足場板２００，２１０，２２０を階段状（つまり、幅方向にずれた位置）に配置して建枠６００，７００，８００に固定することにより、足場直線部２０の端部（つまり、直線用足場板２００等）に位置しない直線用足場板２１０は、直線用足場板２００，２２０により幅方向への動きが規制されるため、クリップ材１５０を用いることなく隙間Ｂの広がりを防止することが出来る。
【００２５】
（足場板連結方法）
本発明に係る足場板連結方法は以下の工程により実施される。
【００２６】
第一に、足場コーナー部１０における足場板連結方法について述べる。
まず、複数の直線用足場板２００の長手方向（Ｙ方向）側面同士が近接して並列に配置されるように、それぞれの直線用足場板２００のフック２０１を幅方向（Ｘ方向）側面に対向する建枠５００（横枠５２０）に係止させる。
次いで、上記建枠５００（横枠５２０）を挟んで直線用足場板２００と向き合う位置で、幅方向が直線用足場板２００の幅方向（Ｘ方向）と直交する向きに、コーナー用足場板１００を配置し、コーナー用足場板１００のフック１２０を建枠５００（横枠５２０）に係止させる。
次いで、建枠５００に係止されたフック２０１及びフック１２０の両端位置よりも外側に、建枠５００に着脱自在なクリップ材１５０を取付ける。
【００２７】
第二に、足場直線部２０における足場板連結方法について述べる。
まず、足場コーナー部１０において配置された直線用足場板２００のフック２０２を幅方向（Ｘ方向）側面に対向する建枠６００（横枠６２０）に係止させる。
次いで、上記建枠６００（横枠６２０）を挟んで直線用足場板２００と向き合う位置で、直線用足場板２００と同じ向きに、直線用足場板２００のフック２０２よりも左側に直線用足場板２１０のフック２１１が建枠６００（横枠６２０）に係止されるように、直線用足場板２１０を配置する。また、フック２１２を幅方向（Ｘ方向）側面に対向する建枠７００（横枠７２０）に係止させる。
次いで、上記建枠６００（横枠６２０）を挟んで直線用足場板２００と向き合う位置で、直線用足場板２１０と同じ向きに、直線用足場板２１０のフック２１２よりも左側に直線用足場板２２０のフック２２１が建枠７００（横枠７２０）に係止されるように、直線用足場板２２０を配置する。また、フック２２２を幅方向（Ｘ方向）側面に対向する建枠８００（横枠８２０）に係止させる。
【００２８】
なお、上記足場板連結方法の工程は、足場コーナー部１０と足場直線部２０の何れから開始するものであってもよい。
【００２９】
以上、上記足場板連結方法によると、建枠５００に係止された複数のフック（フック１２０、フック２０１）の両端位置よりも外側に、上記建枠５００に着脱自在なクリップ材１５０を取付けているので、直線用足場板２００が複数のフックの両端位置よりも外側に向けて移動しようとしても、クリップ材１５０によって当該移動が規制されることとなって、直線用足場板２００間に形成される隙間Ａの広がりを防止することができる。また、隣接する足場板のフックごとに番線で固定するような場合に比べて、建枠５００に着脱自在なクリップ材１５０を取り付け／取り外しするだけなので簡便である。
したがって、上記足場板連結方法は、簡便に、足場板間の隙間の広がりを防止できる足場板連結方法であるといえる。
【００３０】
また、上記足場板連結方法は、足場１の足場コーナー部１０に使用する。つまり、足場直線部２０においては、直線用足場板２００，２１０，２２０を階段状に配置して建枠６００，７００，８００に固定することにより、足場直線部２０の端部に位置しない直線用足場板２１０は、直線用足場板２００，２２０により幅方向への動きが規制されるため、隙間Ｂの広がりを防止することが出来る。しかし、足場コーナー部１０（足場直線部２０の端部）に位置する直線用足場板２００は、上記階段状の配置によっても幅方向への動きが規制されないので、上記クリップ材１５０を用いた足場板連結方法が有効となる。
【００３１】
また、上記足場板連結方法において、クリップ材１５０の筒体１５１に樹脂素材の中で比較的安価かつ軽量な塩化ビニル系の樹脂を用いる。つまり、クリップ材１５０が安価であるため足場形成時のコスト負担を好適に抑えることができ、クリップ材１５０が軽量であるため着脱時に当該クリップ材１５０が落下することによる作業者の危険性を低減させることができる。
【００３２】
また、上記足場板連結方法において、クリップ材１５０の筒体１５１は、例えば、作業者が視認し易いように黄色や橙色等の蛍光色に着色されている。つまり、足場１における作業者はクリップ材１５０の保守点検（着脱状態や装着位置の確認等）を容易に行うことが出来るようになる。
【００３３】
なお、本発明の範囲は上記実施形態に限られることなく、本発明の趣旨を逸脱しない範囲において種々の改良並びに設計の変更を行っても良い。
例えば、上記実施形態において、足場直線部２０における足場板連結方法として、直線用足場板２００，２１０，２２０を階段状に配置して、直線用足場板２１０の幅方向への動きを規制しているが、足場コーナー部１０における足場板連結方法と同様に、建枠６００，７００に係止されたフック２０２及びフック２１１，フック２１２及びフック２２１の両端位置よりも外側に、建枠６００，７００に着脱自在なクリップ材１５０を取付けても勿論よい。
また、上記実施形態では、クリップ材１５０は、筒体１５１を縮径する方向に付勢するばね部材１５２を備えるものとしているが、筒体１５１を建枠５００に装着した際に、復元力により筒体１５１の内面と建枠５００の外面とが密着する構造を備えていれば、ばね部材１５２を有しないものであっても勿論よい。
【符号の説明】
【００３４】
１  足場
１０  足場コーナー部
２０  足場直線部
１００  コーナー用足場板（第２の足場板）
１１０，１２０  フック
２００，２１０，２２０  直線用足場板（第１の足場板）
２０１，２０２，２１１，２１２，２２１，２２２  フック
５００，６００，７００，８００  建枠
１５０  クリップ材
【図１】
2010275685.tif 000003
【図２】
2010275685.tif 000004